(57)【要約】【課題】基板成型金型装置に備えられた金型を高温にすることなく、外周部での転写性を改善できるようにする。【解決手段】互いに対向する固定側金型１および可動側金型４を備え、固定側金型１および可動側金型４の一方に配置されたスタンパ１０により、ディスク基板の主面を成形するようにした基板成形用金型装置において、スタンパ１０の外周側に対応する部分の熱伝導が、スタンパ１０の中心側に対応する部分の熱伝導に比して悪くなるように構成されている。【選択図】  図１
2004167979.tif 000002
【特許請求の範囲】
【請求項１】
互いに対向する固定側および可動側金型を備え、
固定側および可動側金型の一方に配置されたスタンパにより、ディスク基板の主面を成形するようにした基板成形用金型装置において、
スタンパの外周側の熱伝導が中心側の熱伝導に比して悪くされたことを特徴とする基板成形用金型装置。
【請求項２】
上記固定側および可動側金型の一方が、上記スタンパの外周部と接する領域に複数の凹部を備えることを特徴とする請求項１記載の基板成形用金型装置。
【請求項３】
上記固定側および可動側金型の一方が断熱層を備え、
上記断熱層が、上記スタンパの外周部近くに位置することを特徴とする請求項１記載の基板成形用金型装置。
【請求項４】
上記固定側および可動側金型の一方が、上記スタンパの外周部と接する領域に薄膜を備え、
上記薄膜は、上記固定側あるいは可動側金型を構成する材料より熱伝導率の低い材料により構成されていることを特徴とする請求項１記載の基板成型用金型。
【請求項５】
基板成形用金型装置に備えられた固定側および可動側金型の一方に配置され、ディスク基板の主面を成形するようにしたスタンパにおいて、外周側の熱伝導が中心側の熱伝導に比して悪くされたことを特徴とするスタンパ。
【請求項６】
ディスク基板の主面を成形する成形面とは反対側の面の外周部に、複数の凹部を備えることを特徴とする請求項５記載のスタンパ。
【請求項７】
ディスク基板の主面を成形する成形面とは反対側の面の外周部に、薄膜を備え、
上記薄膜は固定側あるいは可動側金型を構成する材料より熱伝導率の低い材料により構成されていることを特徴とする請求項５記載のスタンパ。
【発明の詳細な説明】
【０００１】
【発明の属する技術分野】
この発明は、基板成形用金型装置およびスタンパに関し、特に、良好な転写性を確保することができる基板成形用金型装置に適用して好適なものである。
【０００２】
【従来の技術】
近年、再生専用光ディスク、光磁気ディスク、相変化型光ディスク等のように、光を用いて情報信号の書き込みや読み出しが行われているディスク状記録媒体（以下、光ディスクと称する）が普及している。この光ディスクに用いられるディスク基板は、射出成型方法により製造されるのが一般的である。この射出成形方法では、基板成形用金型装置のキャビティ内に溶融樹脂が射出注入され、この溶融樹脂の熱がスタンパを介して金型側に吸熱され、溶融樹脂が冷却固化することにより、ディスク基板が成形される。
【０００３】
ところが、従来の射出成形方法では、大容量の記憶容量を有する光ディスク、例えばＤＶＤ−Ｒ（Ｄｉｇｉｔａｌ  Ｖｅｒｓａｔｉｌｅ  Ｄｉｓｃ−Ｒｅｃｏｒｄａｂｌｅ）を製造する場合には、スタンパの外周部（例えば、半径５０ｍｍ以上の領域）におけるグルーブやピットの形状を、ディスク基板に忠実に転写することが困難になるという問題があった。これは、ディスク基板の外周部を構成する樹脂の温度が、中心部を構成する樹脂の温度に比して低下してしまうため、すなわち、ディスク基板の外周部を構成する樹脂の流動性が、中心部を構成する樹脂の流動性に比して低下してしまうためである。
【０００４】
そこで、金型を高温（例えば、１２０℃以上）に保持して、ディスク基板を成型する射出成型方法が提案されている。このように、金型を高温にすることにより、樹脂の流動性が高くなり、スタンパ外周部においてもグルーブやピットの形状をディスク基板に忠実に転写することができるようになる。
【０００５】
【発明が解決しようとする課題】
ところが、スタンパの転写性を確保するために金型を高温にすると、ディスク基板の不良が発生し易くなるという問題と、ディスク基板の生産性が低下してしまうという問題とが生じる。以下に、これらの問題点について具体的に示す。
【０００６】
１）金型を十分冷却した後でないと、ディスク基板を金型から取り出すことができないため、サイクルタイムが長くなってしまう。
２）射出成形装置から取り出す際のディスク基板の温度が高いため、射出成形装置のエジェクタや取り出し機によってディスク基板の変形を招きやすい。
３）ディスク基板を金型から均一に離形することが困難であるため、ディスク基板の剥離不良が発生し易い。
４）射出成形装置から取り出す際のディスク基板の温度が高いため、ディスク基板を金型から離形する際にピットやグルーブの変形を招き易い。
５）冷却時にディスク基板が変形し易い。
６）金型の温度が高温であるため、スタンパ交換などの作業性が悪化してしまう。
７）総合的な歩留まりが低下してしまう。
８）スタンパを交換しなければならない離型不良の発生頻度が高くなってしまう。
【０００７】
したがって、この発明の目的は、金型を高温にすることなく、外周部での転写性を向上させることができる基板成形用金型装置およびスタンパを提供することにある。
【０００８】
【課題を解決するための手段】
上述の課題を解決するために、本願第１の発明は、互いに対向する固定側および可動側金型を備え、
固定側および可動側金型の一方に配置されたスタンパにより、ディスク基板の主面を成形するようにした基板成形用金型装置において、
スタンパの外周側の熱伝導が中心側の熱伝導に比して悪くされたことを特徴とする基板成形用金型装置である。
【０００９】
本願第２の発明は、基板成形用金型装置に備えられた固定側および可動側金型の一方に配置され、ディスク基板の主面を成形するようにしたスタンパにおいて、
外周側の熱伝導が中心側の熱伝導に比して悪くされたことを特徴とするスタンパである。
【００１０】
この発明によれば、スタンパの外周側の熱伝導が中心側の熱伝導に比して悪くなるように基板成形用金型装置が構成されているため、スタンパの外周部上に広がる樹脂の温度低下を防止することができる。すなわち、スタンパの外周部においても樹脂の流動性を保持することができる。
【００１１】
【発明の実施の形態】
以下、この発明の実施形態について図面を参照しながら説明する。なお、以下の実施形態においては、同一または対応する部分には同一の符号を用いて説明する。
【００１２】
図１は、この発明の第１の実施形態による基板成形用金型装置の一例を示す断面図である。この基板成形用金型装置は、図１に示すように、固定側金型１と可動側金型４とから構成される。
【００１３】
固定側金型１は、図示しない射出成形装置本体に対して固定された状態で設けられている。固定側金型１には、可動側金型４に対向するように、固定側ミラー１ｂが備えられている。この固定側ミラー１ｂには、可動側金型４に対向するように、スタンパ１０を配置するための配置面１ｃが備えられている。なお、固定側ミラー１ｂは、金属から構成され、この金属として、例えば、熱伝導率２５Ｗ／ｍ・ｋのステンレス鋼が用いられる。
【００１４】
また、固定側金型１には、溶融された樹脂材料の経路を備えたスプルーブッシュ２が嵌め込まれている。スプルーブッシュ２には、樹脂射出口２ｂが穿設されている。樹脂射出口２ｂは、キャビティ３の中心に位置して、図示しない射出成形ユニット側から供給される溶融されたポリカーボネート樹脂などの合成樹脂材料をキャビティ３内に射出する。
【００１５】
可動側金型４は、固定側金型１に対して近接離間する方向（図に向かって左右方向）に移動可能に設けられている。可動側金型４には、固定側金型１と対向するように、可動側ミラー４ｂが備えられている。この可動側ミラー４ｂには、固定側ミラー１ｂの成形面を構成するスタンパ１０に対向するように、成形面４ｃが備えられている。なお、可動側ミラー４ｂは、金属から構成され、この金属として、例えば、熱伝導率２５Ｗ／ｍ・ｋのステンレス鋼が用いられる。
【００１６】
また、可動側金型４には、成形されたディスク基板に中心孔を打ち抜くためのセンターポンチ５と、このセンターポンチ５の内外周側にそれぞれ位置して、形成されたディスク基板をキャビティ３から取り外すための突き出し部材６ａおよび６ｂが配設されている。
【００１７】
外周リング７は円環状に形成されており、可動側ミラー４ｂと、この可動側ミラー４ｂの外周側に設けられたインタロックリング８との間の溝内に摺動自在に取り付けられている。固定側金型１と可動側金型４とが当接した状態で、固定側ミラー１ｂの成形面であるスタンパ１０と、可動側ミラー４ｂの成形面４ｃと、外周リング７との間にはキャビティ３が形成される。１ａ，２ａ，４ａおよび５ａは、固定側ミラー１ｂ、スプルーブッシュ２、可動側ミラー４ｂおよびセンターポンチ５の内部にそれぞれ形成された温調回路である。インタロックリング８には、キャビティ３に充填される樹脂材料から発生するガスを逃がすために、複数個のガス抜き用の孔９が形成されている。
【００１８】
図２は、図１に示す領域１０ａにおける固定側ミラー１ｂの一例を示す拡大断面図である。図２に示すように、固定側ミラー１ｂの配置面１ｃは、スタンパ１０の外周部と接する領域、例えば、スタンパ１０の半径５４〜６０ｍｍの範囲と接する領域に複数の凹部１ｄを有する。この凹部１ｄは、スタンパ１０のディスク基板成形面とは反対側の面（以下、裏面と称する）と、固定側ミラー１ｂの配置面１ｃとの接触面積を減らすためのものであり、例えば、直径０．１ｍｍ以下の半球形状を有する。なお、配置面１ｃに形成される凹部１ｄは、切削加工、放電加工、エッチング処理またはレーザ加工により形成される。
【００１９】
図３は、図１に示す領域１０ａにおける配置面１ｃの一例を示す平面図である。図３に示すように、複数の凹部１ｄは、スプルーブッシュ２を中心として同心円状に配置されている。
【００２０】
この発明の第１の実施形態によれば以下の効果を得ることができる。
基板成形用金型装置が、互いに対向する固定側金型１および可動側金型４を備える。固定側金型１には、可動側金型４と対向する側に、スタンパ１０を配置するための配置面１ｃが備えられている。この配置面１ｃのスタンパ１０の外周部と接する領域には、接触面積を減らすための複数の凹部１ｄが備えられている。これにより、スタンパ１０の外周側の熱伝導が中心側の熱伝導に比して悪くなるように固定側金型１を構成することができる。したがって、ディスク基板の外周部を構成する樹脂の温度低下を防止し、樹脂の流動性を保持することができる。よって、基板成形用金型装置を高温にすることなく、外周部での転写性を向上させることができる。
【００２１】
また、従来のように、基板成形用金型装置を高温（例えば、１２０℃以上）にすることなく、スタンパ１０の転写性を向上させることができるため、ディスク基板を基板成形用金型装置から取り出す際に基板成形用金型装置の冷却に要する時間を短縮することができる。したがって、サイクルタイムを短縮することができる。
【００２２】
また、ディスク基板を基板成形用金型装置から離形する際にピットやグルーブに生じる変形を防止することができる。また、ディスク基板を均一に基板成形用金型装置から離形することが容易となるため、ディスク基板の剥離不良の発生率を低下することができる。また、冷却時のディスク基板の変形による不良発生率を低下することができる。また、スタンパの不良発生率を低下することができる。また、総合的な歩留まりを改善することができる。
【００２３】
次に、この発明の第２の実施形態について説明する。図４は、この発明の第２の実施形態による基板成形用金型装置に備えられた固定側金型の拡大断面図を示す。固定側ミラー１ｂは、図４に示すように、スタンパ１０の外周部近くに、例えば、スタンパ１０の半径５４〜６０ｍｍの範囲に対応した部分に、断熱層１ｅを備える。この断熱層１ｅは、例えば、スプルーブッシュ２を中心として円環形状に形成されている。また、断熱層１ｅは、例えば、熱伝導率０．０３Ｗ／ｍ・ｋの空気断熱層である。この発明の第２の実施形態によれば第１の実施形態と同様の効果を得ることができる。
【００２４】
次に、この発明の第３の実施形態について説明する。この第３の実施形態による固定側ミラー１ｂの配置面１ｃには、スタンパ１０の外周部と接する領域、例えば、スタンパ１０の半径５４〜６０ｍｍの範囲と接する領域に薄膜が備えられている。この薄膜は、例えば円環形状を有し、固定側ミラー部１ｂを構成する材料より熱伝導率の低い材料を配置面１ｃに溶射等で塗布することにより形成される。この配置面１ｃに塗布される材料としては、例えば、熱伝導率１．２Ｗ／ｍ・ｋを有するジルコニアが用いられる。この発明の第３の実施形態によれば第１の実施形態と同様の効果を得ることができる。
【００２５】
次に、この発明の第４の実施形態について説明する。上述の第１の実施形態では、固定側ミラー１ｂの配置面１ｃに複数の凹部が備えられている例について示したが、この第４の実施形態では、スタンパ１０の裏面の外周部に複数の凹部が備えられている。この発明の第４の実施形態によれば第１の実施形態と同様の効果を得ることができる。
【００２６】
次に、この発明の第５の実施形態について説明する。上述の第３の実施形態では、固定側ミラー１ｂの配置面１ｃに、固定側ミラー部１ｂを構成する材料より熱伝導率の低い材料からなる薄膜が備えられている例について示したが、この発明の第５の実施形態では、スタンパ１０の裏面の外周部に、固定側ミラー１ｂを構成する材料より熱伝導率の低い材料からなる薄膜が形成されている。この発明の第５の実施形態によれば第１の実施形態と同様の効果を得ることができる。
【００２７】
以上、この発明の実施形態について具体的に説明したが、この発明は、上述の実施形態に限定されるものではなく、この発明の技術的思想に基づく各種の変形が可能である。
【００２８】
例えば、上述の実施形態において挙げた数値はあくまでも例に過ぎず、必要に応じてこれと異なる数値を用いてもよい。
【００２９】
また、上述した第１、第２、第３、第４および第５の実施形態のうちの少なくとも２つを組み合わせるようにしてもよい。
【００３０】
図５に、上述した第１の実施形態および第２の実施形態を組み合わせた場合を一例として示す。図４に示すように、凹部１ｄと断熱層１ｅとを固定側ミラー１ｂに形成することにより、スタンパ１０の外周部上に広がる樹脂の温度の低下をさらに防止することができる。
【００３１】
【発明の効果】
以上説明したように、この発明によれば、スタンパの外周側の熱伝導が中心側の熱伝導に比して悪くなるように基板成形用金型装置が構成されているため、従来のように金型を高温にすることなく、スタンパの外周部上に広がる樹脂の流動性を保持することができる。すなわち、従来のように金型を高温にすることなく、外周部での転写性を改善することができる。
【図面の簡単な説明】
【図１】この発明の第１の実施形態による基板成形用金型装置の一例を示す断面図である。
【図２】この発明の第１の実施形態による固定側ミラーの断面図である。
【図３】この発明の第１の実施形態による固定側ミラーの平面図である。
【図４】この発明の第２の実施形態による固定側金型の断面図である。
【図５】この発明の第１のおよび第２の実施形態を組み合わせた変形例を説明するための固定側金型の断面図である。
【符号の説明】
１・・・固定側金型、１ａ，２ａ，４ａ，５ａ・・・温調回路、１ｂ・・・固定側ミラー、１ｃ・・・配置面、１ｄ・・・凹部、１ｅ・・・断熱層、２・・・スプルーブッシュ、３・・・キャビティ、４・・・可動側金型、４ｂ・・・可動側ミラー、４ｃ・・・成形面、５・・・センターポンチ、６ａ，６ｂ・・・突き出し部材、７・・・摺動リング、８・・・インタロックリング、９・・・ガス抜き部、１０・・・スタンパ
【図１】
2004167979.tif 000003
【図２】
2004167979.tif 000004
【図３】
2004167979.tif 000005
【図４】
2004167979.tif 000006
【図５】
2004167979.tif 000007